(57)【特許請求の範囲】
【請求項１】
ポーラスコンクリート部と、普通コンクリート部と、これらポーラスコンクリート部と普通コンクリート部との間に位置して両者を仕切る、単数もしくは複数の仕切り部材とを備え、
前記仕切り部材は、前記ポーラスコンクリート部と前記普通コンクリート部とが、一体化しないようにさえぎる遮蔽部と、その一体化を許容する連通部とを有することを特徴とする複合コンクリートブロック。
【請求項２】
前記仕切り部材は、複数の貫通孔を設けたシート体からなり、それら貫通孔が、前記連通部を構成することを特徴とする請求項１に記載の複合コンクリートブロック。
【請求項３】
ポーラスコンクリート部と、普通コンクリート部と、これらポーラスコンクリート部と普通コンクリート部との間に位置して両者を仕切る、単数もしくは複数の仕切り部材とを備え、
この仕切り部材、もしくは、これら仕切り部材の全部または一部は、ブロック外縁部との間に、あるいは、他の仕切り部材との間に、間隔を明けるように配置され、かつ、
前記仕切り部材によって、前記ポーラスコンクリート部と前記普通コンクリート部とが、一体化しないようにさえぎる遮蔽部が形成され、また、
前記間隔が明けられた部位には、前記ポーラスコンクリート部と前記普通コンクリート部とが一体化する一体部が形成されてなることを特徴とする複合コンクリートブロック。
【請求項４】
ポーラスコンクリート部と、普通コンクリート部と、これらポーラスコンクリート部と普通コンクリート部との間に位置して両者を仕切る、単数もしくは複数の仕切り部材とを備え、
この仕切り部材、もしくは、これら仕切り部材の全部または一部は、ブロック外縁部との間に、あるいは、他の仕切り部材との間に、間隔を明けるように配置され、かつ、
前記単数の仕切り部材、もしくは、前記複数の仕切り部材の全部または一部は、前記ポーラスコンクリート部と前記普通コンクリート部とが、一体化しないようにさえぎる遮蔽部と、その一体化を許容する連通部とを有し、また、
前記間隔が明けられた部位には、前記ポーラスコンクリート部と前記普通コンクリート部とが一体化する一体部が形成されてなることを特徴とする複合コンクリートブロック。
【請求項５】
前記仕切り部材は、腐食によって有機質肥料となり得る肥料性部材からなることを特徴とする請求項１ないし４のいずれか１項に記載の複合コンクリートブロック。
【請求項６】
前記肥料性部材は、畳、畳床、畳表のうちの一種あるいは二種以上の組み合わせよりなることを特徴とする請求項５に記載の複合コンクリートブロック。
【請求項７】
前記ポーラスコンクリート部の空隙部に、土壌その他の植生基盤材を充填して植生部を形成することを特徴とする請求項１ないし６のいずれか１項に記載の複合コンクリートブロック。
【請求項８】
ポーラスコンクリート部と、普通コンクリート部とを備える複合コンクリートブロックの製造方法において、
前記普通コンクリート部または前記ポーラスコンクリート部のいずれか一方を形成するためのコンクリートを、成形型枠内に流し込むとともに、そのコンクリートの上側に、前記ポーラスコンクリート部と前記普通コンクリート部とが一体化しないようさえぎる遮蔽部と、その一体化を許容する連通部とを有する仕切り部材を配置し、その仕切り部材の上側へと、前記普通コンクリート部または前記ポーラスコンクリート部のいずれか他方を形成するためのコンクリートを、前記成形型枠内に流し込むことを特徴とする複合コンクリートブロックの製造方法。
【請求項９】
ポーラスコンクリート部と、普通コンクリート部とを備える複合コンクリートブロックの製造方法において、
成形型枠内に、硬化したポーラスコンクリートを設置するとともに、そのコンクリートの上側に、前記ポーラスコンクリート部と前記普通コンクリート部とが一体化しないようさえぎる遮蔽部と、その一体化を許容する連通部とを有する仕切り部材を配置し、その仕切り部材の上側へと、前記普通コンクリート部を形成するためのコンクリートを、前記成形型枠内に流し込むことを特徴とする複合コンクリートブロックの製造方法。
【請求項１０】
ポーラスコンクリート部と、普通コンクリート部とを備える複合コンクリートブロックの製造方法において、
前記普通コンクリート部を形成するためのコンクリートを、成形型枠内に流し込むとともに、そのコンクリートの上側に、前記ポーラスコンクリート部と前記普通コンクリート部とが一体化しないようさえぎる遮蔽部と、その一体化を許容する連通部とを有する仕切り部材を配置し、その仕切り部材の上側に、硬化したポーラスコンクリートを設置することを特徴とする複合コンクリートブロックの製造方法。
【請求項１１】
ポーラスコンクリート部と、普通コンクリート部とを備える複合コンクリートブロックの製造方法において、
成形型枠内に、前記ポーラスコンクリート部と前記普通コンクリート部とが一体化しないようさえぎる遮蔽部と、その一体化を許容する連通部とを有する仕切り部材を挟んで、その一方側に、前記ポーラスコンクリート部を形成するためのコンクリートを流し込み、また、その他方側に、前記普通コンクリート部を形成するためのコンクリートを流し込むことを特徴とする複合コンクリートブロックの製造方法。
【請求項１２】
ポーラスコンクリート部と、普通コンクリート部とを備える複合コンクリートブロックの製造方法において、
成形型枠内に、前記ポーラスコンクリート部と前記普通コンクリート部とが一体化しないようさえぎる遮蔽部と、その一体化を許容する連通部とを有する仕切り部材を挟んで、その一方側に、硬化したポーラスコンクリートを設置するとともに、その他方側に、前記普通コンクリート部を形成するためのコンクリートを流し込むことを特徴とする複合コンクリートブロックの製造方法。
【請求項１３】
ポーラスコンクリート部と、普通コンクリート部とを備える複合コンクリートブロックの製造方法において、
前記普通コンクリート部または前記ポーラスコンクリート部のいずれか一方を形成するためのコンクリートを、成形型枠内に流し込むとともに、そのコンクリートの上側に、単数もしくは複数の仕切り部材を、形成すべきブロック外縁部との間に、あるいは、前記複数の仕切り部材の全部または一部が他の仕切り部材との間に、間隔を明けるように配置し、かつ、前記仕切り部材によって、前記ポーラスコンクリート部と前記普通コンクリート部とが一体化しないようにさえぎる遮蔽部が形成され、また、前記間隔が明けられた部位には、前記ポーラスコンクリート部と前記普通コンクリート部とが一体化する一体部が形成されるように、前記仕切り部材および前記間隔が明けられた部位の上側へと、前記普通コンクリート部または前記ポーラスコンクリート部のいずれか他方を形成するためのコンクリートを、前記成形型枠内に流し込むことを特徴とする複合コンクリートブロックの製造方法。
【請求項１４】
ポーラスコンクリート部と、普通コンクリート部とを備える複合コンクリートブロックの製造方法において、
成形型枠内に、硬化したポーラスコンクリートを設置するとともに、そのコンクリートの上側に、単数もしくは複数の仕切り部材を、形成すべきブロック外縁部との間に、あるいは、前記複数の仕切り部材の全部または一部が他の仕切り部材との間に、間隔を明けるように配置し、かつ、前記仕切り部材によって、前記ポーラスコンクリート部と前記普通コンクリート部とが一体化しないようにさえぎる遮蔽部が形成され、また、前記間隔が明けられた部位には、前記ポーラスコンクリート部と前記普通コンクリート部とが一体化する一体部が形成されるように、前記仕切り部材および前記間隔が明けられた部位の上側へと、前記普通コンクリート部を形成するためのコンクリートを、前記成形型枠内に流し込むことを特徴とする複合コンクリートブロックの製造方法。
【請求項１５】
ポーラスコンクリート部と、普通コンクリート部とを備える複合コンクリートブロックの製造方法において、
前記普通コンクリート部を形成するためのコンクリートを、成形型枠内に流し込むとともに、そのコンクリートの上側に、単数もしくは複数の仕切り部材を、形成すべきブロック外縁部との間に、あるいは、前記複数の仕切り部材の全部または一部が他の仕切り部材との間に、間隔を明けるように配置し、かつ、前記仕切り部材によって、前記ポーラスコンクリート部と前記普通コンクリート部とが一体化しないようにさえぎる遮蔽部が形成され、また、前記間隔が明けられた部位には、前記ポーラスコンクリート部と前記普通コンクリート部とが一体化する一体部が形成されるように、前記仕切り部材および前記間隔が明けられた部位の上側に、硬化したポーラスコンクリートを設置することを特徴とする複合コンクリートブロックの製造方法。
【請求項１６】
ポーラスコンクリート部と、普通コンクリート部とを備える複合コンクリートブロックの製造方法において、
あらかじめ、硬化したポーラスコンクリートの片面側に、単数もしくは複数の仕切り部材を、形成すべきブロック外縁部との間に、あるいは、前記複数の仕切り部材の全部または一部が他の仕切り部材との間に、間隔を明けるように取り付けるとともに、前記仕切り部材によって、前記ポーラスコンクリート部と前記普通コンクリート部とが一体化しないようにさえぎる遮蔽部が形成され、また、前記間隔が明けられた部位には、前記ポーラスコンクリート部と前記普通コンクリート部とが一体化する一体部が形成されるよう、成形型枠内の一方側に、前記硬化したポーラスコンクリートを、前記仕切り部材が取り付けられた前記片面側を、前記成形型枠内の他方側に向けて設置し、その他方側に、前記普通コンクリート部を形成するためのコンクリートを流し込むことを特徴とする複合コンクリートブロックの製造方法。
【請求項１７】
前記仕切り部材は、畳、畳床、畳表、ダンボール紙、もしくは間伐材のうちの一種あるいは二種以上の組み合わせによりなることを特徴とする請求項８ないし１６のいずれか１項に記載の複合コンクリートブロックの製造方法。
【発明の詳細な説明】
【０００１】
【発明の属する技術分野】
この発明は、コンクリート表面の植生、緑化等に好適に用いることができるコンクリートブロックであって、特に、ポーラスコンクリート部と普通コンクリート部とを備えた、複合コンクリートブロックに関するものである。
【０００２】
【従来の技術】
従来、この種の複合コンクリートブロックとしては、例えば、特開平１１−１７２７０４号公報に開示の護岸用ブロックや擁壁用ブロックとして用いられる複合コンクリートブロックがあった。この複合コンクリートブロック３０は、図１４に示すように、ポーラスコンクリート製の中心部３１と、その中心部３１の側面および裏面を覆う、普通コンクリート製の枠部３２とを備え、その枠部３２には、厚み方向に貫通して中心部の裏面にまで達する開口部３２ａが、水抜き等を目的として設けられていた。そして、この複合コンクリートブロック３０は、中心部３１が枠部３２から分離しないように、中心部３１の表面から裏面へとテーパー状に枠部３２側に広がるように形成されていた。
【０００３】
ここで、前記ポーラスコンクリート製の中心部３１は、多数の空隙部分を有する構造であるため、例えば、この中心部３１の表面に、肥料とともに土壌を敷設し、その土壌等によって空隙部分をも充填することで、植生基盤を形成することができた。そして、この植生基盤に種子を蒔き、その種子が発芽すれば、植生された複合コンクリートブロックが得られた。
【０００４】
【発明が解決しようとする課題】
ところが、前記従来の複合コンクリートブロック３０を製造するには、まず、ポーラスコンクリート製の中心部３１を専用の成形型枠で製造し、それを別の成形型枠の中心部に設置して、その周囲に普通コンクリートを打設して枠部３２を製造し、これら枠部３２と中心部３１とを一体化させていた。そのため、後打ちされる普通コンクリートが、ポーラスコンクリート製の中心部３１の空隙部に進入してしまい、所定のポーラス領域および空隙率が確保されない問題があった。また、中心部３１用の成形型枠と枠部３２用の成形型枠とが、それぞれに必要となるとともに、普通コンクリートが後打ちされるため、作業工程が増え、手間がかかる問題もあった。
【０００５】
もっとも、生産性の向上を図るには、普通コンクリートとポーラスコンクリートとを、同時打ちによって形成すればよい訳であるが、そのためのモデル実験として、普通コンクリートの上側にポーラスコンクリートが単に積層されているだけの複合コンクリートブロックの製造を試みた。しかし、ポーラスコンクリートと普通コンクリートとを、そのまま同時打ちしたのでは、ポーラスコンクリート側に、普通コンクリートを構成するモルタル分等が進入し、その結果、ポーラスコンクリートとしての機能を確保するに足るポーラス領域および空隙率を維持できないという問題が依然と解消されなかった。
【０００６】
この発明は、上記した従来の技術の欠点を解決するためになされたものであり、その目的とするところは、ポーラスコンクリート部の所定のポーラス領域および空隙率が確保でき、しかも、ポーラスコンクリート部と普通コンクリート部とが一体化される複合コンクリートブロックおよびその製造方法を提供することにある。また、この発明の他の目的は、ポーラスコンクリート部の所定のポーラス領域および空隙率を維持しつつ、ポーラスコンクリート部と普通コンクリート部とを同時打ちして形成することができる、複合コンクリートブロックおよびその製造方法を提供することにある。
【０００７】
【課題を解決するための手段】
この発明に係る複合コンクリートブロックおよびその製造方法は、前記目的を達成するために、次の構成からなる。すなわち、
請求項１に記載の発明に係る複合コンクリートブロックは、ポーラスコンクリート部と、普通コンクリート部と、これらポーラスコンクリート部と普通コンクリート部との間に位置して両者を仕切る、単数もしくは複数の仕切り部材とを備え、前記仕切り部材は、前記ポーラスコンクリート部と前記普通コンクリート部とが、一体化しないようにさえぎる遮蔽部と、その一体化を許容する連通部とを有することを特徴としている。
【０００８】
これにより、ポーラスコンクリート部と普通コンクリート部とが、仕切り部材の遮蔽部によってさえぎられ、ポーラスコンクリート部側に普通コンクリート部を構成するモルタル分等が進入しないため、ポーラスコンクリート部の所定のポーラス領域および空隙率を維持することができる。一方で、ポーラスコンクリート部と普通コンクリート部とは、連通部によって一体としてつながっているので、それぞれに分離してしまうのを防止することができる。
【０００９】
また、請求項２に記載の発明に係る複合コンクリートブロックのように、前記仕切り部材は、複数の貫通孔を設けたシート体からなり、それら貫通孔が、前記連通部を構成するのが好ましい。これにより、仕切り部材は、連通部と遮蔽部とを容易に形成することができる。ここで、連通部としての貫通孔は、ポーラスコンクリート部と普通コンクリート部との結合力を強固にするには、各コンクリート部の接触面積が増えるよう、シート体に対する占有率を大きく取る必要があるが、一方で、その占有率があまりに大きいと、遮蔽部の、シート体に対する占有率が減少して、普通コンクリート部を構成するモルタル分等がポーラスコンクリート側に進入して、ポーラスコンクリート部の所定のポーラス領域および空隙率が維持できない虞がある。よって、連通部としての貫通孔を、シート体に、どれぐらいの大きさでいくつ設けるかについては、遮蔽部の遮断能力と、シート体に対する占有率をも考慮した上で決定される。
【００１０】
また、請求項３に記載の発明に係る複合コンクリートブロックは、ポーラスコンクリート部と、普通コンクリート部と、これらポーラスコンクリート部と普通コンクリート部との間に位置して両者を仕切る、単数もしくは複数の仕切り部材とを備える。そして、この仕切り部材、もしくは、これら仕切り部材の全部または一部は、ブロック外縁部との間に、あるいは、他の仕切り部材との間に、間隔を明けるように配置され、かつ、前記仕切り部材によって、前記ポーラスコンクリート部と前記普通コンクリート部とが、一体化しないようにさえぎる遮蔽部が形成され、また、前記間隔が明けられた部位には、前記ポーラスコンクリート部と前記普通コンクリート部とが一体化する一体部が形成されてなることを特徴とする。これにより、ポーラスコンクリート部と普通コンクリート部とは、仕切り部材によって形成される遮蔽部の存在によってさえぎられ、ポーラスコンクリート部側に普通コンクリート部を構成するモルタル分等が進入しないため、ポーラスコンクリート部の所定のポーラス領域および空隙率を維持することができる。一方で、ポーラスコンクリート部と普通コンクリート部とは、前記間隔が明けられた部位に形成される一体部によってつながっているので、それぞれに分離してしまうのを防止することができる。
【００１１】
また、請求項４に記載の発明に係る複合コンクリートブロックは、ポーラスコンクリート部と、普通コンクリート部と、これらポーラスコンクリート部と普通コンクリート部との間に位置して両者を仕切る、単数もしくは複数の仕切り部材とを備える。そして、この仕切り部材、もしくは、これら仕切り部材の全部または一部は、ブロック外縁部との間に、あるいは、他の仕切り部材との間に、間隔を明けるように配置され、かつ、前記単数の仕切り部材、もしくは、前記複数の仕切り部材の全部または一部は、前記ポーラスコンクリート部と前記普通コンクリート部とが、一体化しないようにさえぎる遮蔽部と、その一体化を許容する連通部とを有し、また、前記間隔が明けられた部位には、前記ポーラスコンクリート部と前記普通コンクリート部とが一体化する一体部が形成されてなることを特徴とする。これにより、ポーラスコンクリート部と普通コンクリート部とは、仕切り部材が有する遮蔽部によってさえぎられ、ポーラスコンクリート部側に普通コンクリート部を構成するモルタル分等が進入しないため、ポーラスコンクリート部の所定のポーラス領域および空隙率を維持することができる。一方で、ポーラスコンクリート部と普通コンクリート部とは、仕切り部材が有する連通部、および、前記間隔が明けられた部位に形成される一体部によってつながっているので、それぞれに分離してしまうのを防止することができる。
【００１２】
また、請求項５に記載の発明に係る複合コンクリートブロックのように、前記仕切り部材は、腐食によって有機質肥料となり得る肥料性部材からなるのが望ましい。これにより、例えば、ポーラスコンクリート部の空隙部に土壌その他の植生基盤材が充填されて植生部を形成する場合、肥料性部材が経時的に腐食して地力を高めるとともに、腐食後に、ポーラスコンクリート部の空隙率を高めて、植生部の根入れ深さを一層深くするので、植物の生育に好適な環境が形成される。
【００１３】
また、請求項６に記載の発明に係る複合コンクリートブロックのように前記肥料性部材は、畳、畳床、畳表のうちの一種あるいは二種以上の組み合わせよりなることが望ましい。このように、畳、畳床、または畳表によれば、腐食性、保水性等の特性において、肥料性部材として用いるのに好適である。さらに、処分が苦慮されている使用済の、畳、畳床、または畳表を使用する場合には、資源の再利用および製品コストの削減を図ることができるというメリットがある。
【００１４】
また、請求項７に記載の発明に係る複合コンクリートブロックのように、前記ポーラスコンクリート部の空隙部に、土壌その他の植生基盤材を充填して植生部を形成するのが望ましい。こうして、複合コンクリートブロックの緑化を図ることができ、ポーラスコンクリート部としての機能を発揮させることができる。
【００１５】
また、請求項８に記載の発明に係る複合コンクリートブロックの製造方法は、ポーラスコンクリート部と、普通コンクリート部とを備える複合コンクリートブロックの製造方法において、前記普通コンクリート部または前記ポーラスコンクリート部のいずれか一方を形成するためのコンクリートを、成形型枠内に流し込むとともに、そのコンクリートの上側に、前記ポーラスコンクリート部と前記普通コンクリート部とが一体化しないようさえぎる遮蔽部と、その一体化を許容する連通部とを有する仕切り部材を配置する。そして、その仕切り部材の上側へと、前記普通コンクリート部または前記ポーラスコンクリート部のいずれか他方を形成するためのコンクリートを、前記成形型枠内に流し込むことを特徴とする。仮に、仕切り部材を介在させないで、ポーラスコンクリート部を形成するためのコンクリートと普通コンクリート部を形成するためのコンクリートとを同時打ちすると、普通コンクリート部のモルタル分等がポーラスコンクリート部に進入し、形成されるポーラスコンクリート部が所定のポーラス領域および空隙率を維持できない虞がある。しかし、かかる仕切り部材を、ポーラスコンクリート部と普通コンクリート部との間に位置させるようにして両コンクリートを打設すれば、仕切り部材の遮蔽部の存在によって、ポーラスコンクリート部の所定のポーラス領域および空隙率を維持しつつ複合コンクリートブロックを製造することができる。一方、仕切り部材の連通部の存在によって、ポーラスコンクリート部と普通コンクリート部とを一体化させて結合力を高めることもできる。こうして、ポーラスコンクリート部と普通コンクリート部との同時打ちによる形成を可能として、生産性を向上させることができる。
【００１６】
また、請求項９に記載の発明に係る複合コンクリートブロックの製造方法は、ポーラスコンクリート部と、普通コンクリート部とを備える複合コンクリートブロックの製造方法において、成形型枠内に、硬化したポーラスコンクリートを設置するとともに、そのコンクリートの上側に、前記ポーラスコンクリート部と前記普通コンクリート部とが一体化しないようさえぎる遮蔽部と、その一体化を許容する連通部とを有する仕切り部材を配置する。そして、その仕切り部材の上側へと、前記普通コンクリート部を形成するためのコンクリートを、前記成形型枠内に流し込むことを特徴とする。このように、ポーラスコンクリート部は、あらかじめ硬化させておいたポーラスコンクリートによって構成するようにしてもよい。
【００１７】
また、請求項１０に記載の発明に係る複合コンクリートブロックの製造方法は、ポーラスコンクリート部と、普通コンクリート部とを備える複合コンクリートブロックの製造方法において、前記普通コンクリート部を形成するためのコンクリートを、成形型枠内に流し込むとともに、そのコンクリートの上側に、前記ポーラスコンクリート部と前記普通コンクリート部とが一体化しないようさえぎる遮蔽部と、その一体化を許容する連通部とを有する仕切り部材を配置し、その仕切り部材の上側に、硬化したポーラスコンクリートを設置することを特徴とする。このように、普通コンクリート部を形成するコンクリートを流し込んだ後、仕切り部材を介して、あらかじめ硬化させておいたポーラスコンクリートを、その上側に設置することにより複合化しても構わない。
【００１８】
また、請求項１１に記載の発明に係る複合コンクリートブロックの製造方法は、ポーラスコンクリート部と、普通コンクリート部とを備える複合コンクリートブロックの製造方法において、成形型枠内に、前記ポーラスコンクリート部と前記普通コンクリート部とが一体化しないようさえぎる遮蔽部と、その一体化を許容する連通部とを有する仕切り部材を挟んで、その一方側に、前記ポーラスコンクリート部を形成するためのコンクリートを流し込み、また、その他方側に、前記普通コンクリート部を形成するためのコンクリートを流し込むことを特徴とする。このように、仕切り部材を挟んで、その一方側に、ポーラスコンクリート部を形成するためのコンクリートが流し込まれ、また、その他方側に、普通コンクリート部を形成するためのコンクリートが流し込まれればよいわけであるので、各コンクリートは、必ずしも平打ち方式で打設される必要はなく、縦打ち方式で打設されても構わない。
【００１９】
請求項１２に記載の発明に係る複合コンクリートブロックの製造方法は、ポーラスコンクリート部と、普通コンクリート部とを備える複合コンクリートブロックの製造方法において、成形型枠内に、前記ポーラスコンクリート部と前記普通コンクリート部とが一体化しないようさえぎる遮蔽部と、その一体化を許容する連通部とを有する仕切り部材を挟んで、その一方側に、硬化したポーラスコンクリートを設置するとともに、その他方側に、前記普通コンクリート部を形成するためのコンクリートを流し込むことを特徴とする。このように、ポーラスコンクリート部は、仕切り部材を挟んで、その一方側に設置する、あらかじめ硬化させておいたポーラスコンクリートによって構成するようにしてもよい。そして、仕切り部材の他方側には、普通コンクリート部を形成するためのコンクリートが、必ずしも平打ち方式で打設される必要はなく、縦打ち方式で打設されても構わない。
【００２０】
請求項１３に記載の発明に係る複合コンクリートブロックの製造方法は、ポーラスコンクリート部と、普通コンクリート部とを備える複合コンクリートブロックの製造方法において、前記普通コンクリート部または前記ポーラスコンクリート部のいずれか一方を形成するためのコンクリートを、成形型枠内に流し込むとともに、そのコンクリートの上側に、単数もしくは複数の仕切り部材を、形成すべきブロック外縁部との間に、あるいは、前記複数の仕切り部材の全部または一部が他の仕切り部材との間に、間隔を明けるように配置し、かつ、前記仕切り部材によって、前記ポーラスコンクリート部と前記普通コンクリート部とが一体化しないようにさえぎる遮蔽部が形成され、また、前記間隔が明けられた部位には、前記ポーラスコンクリート部と前記普通コンクリート部とが一体化する一体部が形成されるように、前記仕切り部材および前記間隔が明けられた部位の上側へと、前記普通コンクリート部または前記ポーラスコンクリート部のいずれか他方を形成するためのコンクリートを、前記成形型枠内に流し込むことを特徴とする。仮に、単数もしくは複数の仕切り部材を介在させないで、ポーラスコンクリート部を形成するためのコンクリートと普通コンクリート部を形成するためのコンクリートとを同時打ちすると、普通コンクリート部のモルタル分等がポーラスコンクリート部に進入し、形成されるポーラスコンクリート部が所定のポーラス領域および空隙率を維持できない虞がある。しかし、このような単数もしくは複数の仕切り部材を、ポーラスコンクリート部と普通コンクリート部との間に位置させるようにして両コンクリートを打設すれば、仕切り部材によって形成される遮蔽部の存在によって、ポーラスコンクリート部の所定のポーラス領域および空隙率を維持しつつ複合コンクリートブロックを製造することができる。一方、前記間隔が明けられた部位に形成される一体部の存在によって、ポーラスコンクリート部と普通コンクリート部とを一体化させて結合力を高めることもできる。こうして、ポーラスコンクリート部と普通コンクリート部との同時打ちによる形成を可能として、生産性を向上させることができる。
【００２１】
また、請求項１４に記載の発明に係る複合コンクリートブロックの製造方法は、ポーラスコンクリート部と、普通コンクリート部とを備える複合コンクリートブロックの製造方法において、成形型枠内に、硬化したポーラスコンクリートを設置するとともに、そのコンクリートの上側に、単数もしくは複数の仕切り部材を、形成すべきブロック外縁部との間に、あるいは、前記複数の仕切り部材の全部または一部が他の仕切り部材との間に、間隔を明けるように配置し、かつ、前記仕切り部材によって、前記ポーラスコンクリート部と前記普通コンクリート部とが一体化しないようにさえぎる遮蔽部が形成され、また、前記間隔が明けられた部位には、前記ポーラスコンクリート部と前記普通コンクリート部とが一体化する一体部が形成されるように、前記仕切り部材および前記間隔が明けられた部位の上側へと、前記普通コンクリート部を形成するためのコンクリートを、前記成形型枠内に流し込むことを特徴とする。このように、ポーラスコンクリート部は、あらかじめ硬化させておいたポーラスコンクリートによって構成するようにしてもよい。
【００２２】
また、請求項１５に記載の発明に係る複合コンクリートブロックの製造方法は、ポーラスコンクリート部と、普通コンクリート部とを備える複合コンクリートブロックの製造方法において、前記普通コンクリート部を形成するためのコンクリートを、成形型枠内に流し込むとともに、そのコンクリートの上側に、単数もしくは複数の仕切り部材を、形成すべきブロック外縁部との間に、あるいは、前記複数の仕切り部材の全部または一部が他の仕切り部材との間に、間隔を明けるように配置し、かつ、前記仕切り部材によって、前記ポーラスコンクリート部と前記普通コンクリート部とが一体化しないようにさえぎる遮蔽部が形成され、また、前記間隔が明けられた部位には、前記ポーラスコンクリート部と前記普通コンクリート部とが一体化する一体部が形成されるように、前記仕切り部材および前記間隔が明けられた部位の上側に、硬化したポーラスコンクリートを設置することを特徴とする。このように、普通コンクリート部を形成するコンクリートを成形型枠内に流し込み、その上側に、単数もしくは複数の仕切り部材を、前記間隔を明けるように配置し、さらに、その間隔が明けられた部位および前記仕切り部材の上側に、あらかじめ硬化させておいたポーラスコンクリートを設置することにより複合化しても構わない。
【００２３】
請求項１６に記載の発明に係る複合コンクリートブロックの製造方法は、ポーラスコンクリート部と、普通コンクリート部とを備える複合コンクリートブロックの製造方法において、あらかじめ、硬化したポーラスコンクリートの片面側に、単数もしくは複数の仕切り部材を、形成すべきブロック外縁部との間に、あるいは、前記複数の仕切り部材の全部または一部が他の仕切り部材との間に、間隔を明けるように取り付けるとともに、前記仕切り部材によって、前記ポーラスコンクリート部と前記普通コンクリート部とが一体化しないようにさえぎる遮蔽部が形成され、また、前記間隔が明けられた部位には、前記ポーラスコンクリート部と前記普通コンクリート部とが一体化する一体部が形成されるよう、成形型枠内の一方側に、前記硬化したポーラスコンクリートを、前記仕切り部材が取り付けられた前記片面側を、前記成形型枠内の他方側に向けて設置し、その他方側に、前記普通コンクリート部を形成するためのコンクリートを流し込むことを特徴とする。このように、ポーラスコンクリート部は、成形型枠内の一方側に設置される、硬化したポーラスコンクリートによって構成するようにしてもよい。このとき、硬化したポーラスコンクリートの片面側には、あらかじめ、前記単数もしくは複数の仕切り部材が取り付けられて、成形型枠内に配置されるので、例えば、縦打ち方式で打設する場合においても、前記仕切り部材を保持するための保持具等は不要である。
【００２４】
また、請求項１７に記載の発明に係る複合コンクリートブロックの製造方法のように、前記仕切り部材は、畳、畳床、畳表、ダンボール紙、もしくは間伐材のうちの一種あるいは二種以上の組み合わせによりなるのが好ましい。処分が苦慮されている使用済の畳、畳床、畳表、ダンボール紙、もしくは間伐材を使用する場合には、資源の再利用および製品コストの削減を図ることができるというメリットがある。
【００２５】
【発明の実施の形態】
以下、この発明に係る複合コンクリートブロックの第一の実施の形態を、図１ないし図４に基づいて説明する。この複合コンクリートブロック１は、主に表層部側（前面部側）を形成する、多孔性ブロックとしてのポーラスコンクリート部２と、主に基盤部側（背面部側）を形成する普通コンクリート部３と、これらポーラスコンクリート部２と普通コンクリート部３との間に位置するように埋設されて両者を仕切る仕切り部材４とを備えている。
【００２６】
前記ポーラスコンクリート部２は、モルタルやセメントミルクに、大粒の砕石等の粗骨材およびその他の補強材を混入して製造されるものであり、多数の空隙部５、５を有しているため、その強度は、普通コンクリート部３に比べて弱くなる。しかし、ポーラスコンクリート部２は、空隙部５、５に、土壌等が充填されることによって植物の根が通る植生部を形成することができる。そして、このポーラスコンクリート部２は、例えば、平面視矩形状で所要の厚みを有しており、複合コンクリートブロック１の表層部側の中心部を形成するように、その各側面および裏面が、普通コンクリート部３によって覆われている。
【００２７】
前記普通コンクリート部３は、モルタルやセメントミルクに、細骨材や粗骨材を混入して形成されるものであって、その強度は、前記ポーラスコンクリート部２に比べて強いため、ポーラスコンクリート部２だけでは十分でない強度を補強することができる。そして、この普通コンクリート部３は、例えば、平面視矩形状で所要の厚みを有する基底部３ａと、その基底部３ａの四辺に立設される側壁部３ｂとからなり、これら基底部３ａと側壁部３ｂとが一体となって形成されている。ここで、普通コンクリート部３の、基底部３ａの上方で、かつ、側壁部３ｂが取り囲む空間に、前記ポーラスコンクリート部２が位置することとなる。
【００２８】
また、前記仕切り部材４は、複合コンクリートブロック１の内部にあって、ポーラスコンクリート部２と普通コンクリート部３との間に位置して両者を上下に仕切るように、ポーラスコンクリート部２の裏面および普通コンクリート部３の基底部３ａの上面のそれぞれと対面位置して接するシート体からなる。そして、このシート体は、例えば、い草からなる畳表を用いることができ、この畳表は、少なくとも、ポーラスコンクリート部２の裏面のほぼ全体を覆う程度の大きさを備えている。この仕切り部材４としての畳表４ａは、ポーラスコンクリート部２と普通コンクリート部３とが、一体化しないようにさえぎる、遮蔽部６となるシート体の本体６ａと、その一体化を許容する、連通部７となる複数の貫通孔７ａ、７ａとを有している。これら複数の貫通孔７ａ、７ａは、シート体をほぼ円形状に開口して厚み方向に貫通する孔であって、例えば、縦の長さ９０ｃｍ、横の長さ１９０ｃｍ程度の大きさのシート体を用いる場合には、直径約１０ｃｍに開口する貫通孔が、約５０個前後ほぼ等間隔で規則的に配列されるように形成される（図３参照）。もっとも、これら複数の貫通孔７ａ、７ａは、ほぼ等間隔で規則的に配列されなくても、任意個所で適宜の数が設けられていればよく、また、当然ながらその大きさも前記数値に限られるわけではない。よって、仕切り部材４としての畳表４ａは、一般に流通、あるいは廃棄処分の対象となる畳表を、適宜個所で円形状に切り取って貫通孔７ａ、７ａを設けるだけで容易に製造することができる。もちろん、貫通孔の数は、複数に限られるわけではなく、単数であってもよい。
【００２９】
ここで、仕切り部材４としての畳表４ａに遮蔽部６となるシート体の本体６ａを設けるのは、ポーラスコンクリート部２と普通コンクリート部３とを、例えば、同時打ち（一方のコンクリートが凝結、硬化する前に他方のコンクリートを打ち継ぐ）によって形成する場合には、ポーラスコンクリート部２側に、普通コンクリート部３を構成するモルタル分等が進入するのを回避して、既述したポーラスコンクリートとしての機能を発揮するに足る、ポーラスコンクリート部２の所定のポーラス領域および空隙率を維持するためである。また、仕切り部材３としての畳表４ａに連通部７となる複数の貫通孔７ａ、７ａを設けるのは、ポーラスコンクリート部２と普通コンクリート部３とが一体的につながるようにして、それぞれに分離してしまうのを防止するためである。もっとも、連通部７としての貫通孔７ａ、７ａは、ポーラスコンクリート部２と普通コンクリート部３との結合力を強固にするには、各コンクリート部２、３の接触面積が増えるように、貫通孔７ａ、７ａの、シート体に対する占有率を大きく取る必要があるが、一方、その占有率があまりに大きいと、遮蔽部６の、シート体に対する占有率が減少して、普通コンクリート部３を構成するモルタル分等がポーラスコンクリート部２側に進入してポーラスコンクリート部２の所定のポーラス領域および空隙率が維持できない虞がある。よって、連通部７としての貫通孔７ａ、７ａを、シート体に、どれぐらいの大きさでいくつ設けるかについては、遮蔽部６の、シート体に対する占有率をも考慮した上で決定される必要がある。そして、かかる仕切り部材４を、ポーラスコンクリート部２と普通コンクリート部３との間に位置するように設けることで、複合コンクリートブロック１は、ポーラスコンクリート部２と普通コンクリート部３とを同時打ちにて形成する場合でも、ポーラスコンクリート部２の空隙率を、その機能を発揮するのに良好な、例えば、１０〜３５パーセントに維持することができる。もっとも、この空隙率の数値は、前記数値に限定されるわけではない。
【００３０】
ところで、この複合コンクリートブロック１を、そのコンクリート表面を植生、緑化させる目的で使用する場合には、前記ポーラスコンクリート部２の空隙部５、５に、土壌８その他の植生基盤材が充填されるようにして植生部９を形成するとよい。そして、この植生部９に種を蒔いたり、苗木を植えたりして、緑化用植物１０等の植物の根１０ａが空隙部５、５に充填された土壌中を通るようにする（図４参照）。もっとも、人為的に土壌８等を充填して植生部９を形成しなくてもよく、例えば、建造物の一部としての複合コンクリートブロック１のポーラスコンクリート部２に、自然発生的に土壌８が浸入し種が付着したりして植生部９が形成されてもよい。
【００３１】
また、前記仕切り部材４が、い草からなる畳表４ａのように、腐食によって有機質肥料となり得る肥料性部材からなる場合、その肥料性部材が、経時的に腐食して地力を高め、植物の生育に好適な環境が形成されるようになる。かかる肥料性部材としては、畳表４ａの他、例えば、畳、もしくは畳床、あるいは、わらを編んだものとかヤシ繊維からなるマット状のものなどを、一種あるいは二種以上組み合わせて利用でき、これらに、例えば、複数あるいは単数の貫通孔を設けて、遮蔽部６および連通部７を備えた仕切り部材として用いることができる。
【００３２】
もっとも、肥料性部材が、畳、畳床、畳表４ａのうちの一種あるいは二種以上の組み合わせよりなる場合には、腐食性、保水性等の特性において、肥料性部材として用いるのに好適である。また、近年、廃棄処分が苦慮されている使用済の畳、畳床、または畳表４ａを使用する場合には、資源の再利用および製品コストの削減を図ることができるというメリットがある。また、畳、畳床、または畳表４ａに代えて、ダンボール紙、間伐材あるいはベニヤ板等の木製板材を用いることができる。特に、使用済みのダンボール紙あるいは間伐材を、仕切り部材４として用いれば、使用済の畳表４ａを使用する場合と同様、資源の再利用および製品コストの削減を図ることができるというメリットがある。ダンボール紙、間伐材あるいは木製板材においても、例えば、複数あるいは単数の貫通孔を設けることにより、遮蔽部６および連通部７を備えた仕切り部材として用いることができる。さらには、これら畳、畳床、畳表、ダンボール紙、間伐材あるいは木製板材に他の素材を付加あるいは混ぜ合わせて、仕切り部材等としても構わない。
【００３３】
次に、この複合コンクリートブロック１の製造方法を図５および図６に基づいて説明する。まず、成形型枠１１内に、普通コンクリート部３の基底部３ａを形成するためのコンクリート１２を、仕切り部材４としての畳表４ａを敷き載せるように配置する高さ位置まで流し込み、そのコンクリート１２の上面をほぼ水平に均す。そして、このコンクリート１２の上側の、周縁部を除く中心部を覆うように、前記仕切り部材４としての畳表４ａを敷き載せるように配置する。次に、ポーラスコンクリート部２の各側面と、前記普通コンクリート部３の側壁部３ｂの内面との間を区分ける区分け具１３を、仕切り部材４の上面に設置する（図５参照）。この区分け具１３は、細長の板材１５、１５によって、四方が平面視矩形状に囲われた、上下双方向に開口する枠体からなり、対向位置する板材１５、１５の上端部には、取っ手１６、１６が取り付けられている。ここで、この区分け具１３の枠内で、かつ仕切り部材４の上側へと、ポーラスコンクリート部２を形成するためのコンクリート１７を、前記成形型枠１１に流し込む。コンクリート１７が流し込まれるとその重みで、区分け具１３の外側に位置する、仕切り部材４である畳表４ａの周縁部４ｂが、その区分け具１３の外面に沿うように立ち上がり、その立ち上がった分だけ、後述する、普通コンクリート部３の側壁部３ｂを形成するためのコンクリート１２のモルタル分が、ポーラスコンクリート部２を形成するためのコンクリート１７内へ、横方向から進入するのを防ぐことができる。
【００３４】
このポーラスコンクリート部２を形成するためのコンクリート１７を仕切り部材４の上側に投入する時期は、前記普通コンクリート部３を形成するためのコンクリート１２が凝結、硬化する前に行う。すなわち、仕切り部材４としての畳表４ａが遮蔽部６となるシート体の本体６ａを有することで、普通コンクリート部３を形成するためのコンクリート１２が凝結、硬化する前であっても、そのモルタル分がポーラスコンクリート部２を形成するためのコンクリート１７ヘ進入するなどの、各コンクリート１２、１７の混合を回避しつつ、ポーラスコンクリート部２を形成するためのコンクリート１７を投入することができ、形成されるポーラスコンクリート部２が、所定のポーラス領域および空隙率を維持することができる。一方、仕切り部材４としての畳表４ａが連通部７となる貫通孔７ａ、７ａを有することで、これら貫通孔７ａ、７ａを通して、各コンクリート１２、１７が一体的につながり、ポーラスコンクリート部２および普通コンクリート部３として形成された場合に、両コンクリート部２、３が、それぞれに分離するのを防止することができる。
【００３５】
次に、前記成形型枠１１の内面と区分け具１３の外面との間に、普通コンクリート部３の側壁部３ｂを形成するためのコンクリート１２を流し込む。そして、その側壁部３ｂの天端面およびポーラスコンクリート部２の表面を、それぞれほぼ水平に均し、区分け具１３の取っ手１６を持って真っ直ぐ上方（矢印Ｑ方向）に引き上げ、区分け具１３を引き抜く（図６参照）。また、必要に応じて、普通コンクリート部３の側壁部３ｂの天端面に砂等を散布等して化粧仕上げするとよい。そして、各コンクリート１２、１７を養生硬化させ、成形型枠１１を型開きすれば、複合コンクリートブロック１は、脱型され完成されることとなる。
【００３６】
このように、この複合コンクリートブロック１の製造方法によれば、ポーラスコンクリート部２の所定のポーラス領域および空隙率を維持しつつ、ポーラスコンクリート部２と普通コンクリート部３とを同時打ちして一体的に形成することができる。よって、従来とは異なり、ポーラスコンクリート部２の所定のポーラス領域および空隙率を確保でき、また、複数の成形型枠を用いて煩雑な作業工程を経ることなく、複合コンクリートブロック１を、安価なコストで、短時間に、かつ容易に製造することができる。
【００３７】
複合コンクリートブロック１の製造方法としては、前記製造方法以外にも種々の方法が考えられる。例えば、図示した実施の形態とは反対に、最初にポーラスコンクリート部２を形成するためのコンクリートを、成形型枠１１内に流し込んでもよい。そして、そのコンクリートが凝結、硬化する前に、その上側に、ポーラスコンクリート部２と普通コンクリート部３とが一体化しないようさえぎる遮蔽部６と、その一体化を許容する連通部７とを有する、畳表４ａあるいはその他の仕切り部材４を配置し、その仕切り部材４の上側へと、前記普通コンクリート部３を形成するためのコンクリートを、前記成形型枠１１内に流し込むことにより複合化させて、複合コンクリートブロック１を製造するようにしても構わない。
【００３８】
また、ポーラスコンクリート部２と普通コンクリート部３とを同時打ちによって形成するのでなく、あらかじめ硬化させておいたポーラスコンクリートを用いても構わない。すなわち、成形型枠１１内に、硬化したポーラスコンクリートを設置するとともに、そのコンクリートの上側に、前記ポーラスコンクリート部２と前記普通コンクリート部３とが一体化しないようさえぎる遮蔽部６と、その一体化を許容する連通部７とを有する、畳表４ａあるいはその他の仕切り部材４を配置し、その仕切り部材４の上側へと、前記普通コンクリート部３を形成するためのコンクリートを、前記成形型枠１１内に流し込むことにより複合化して、複合コンクリートブロック１を製造してもよい。あるいは、前記普通コンクリート部３を形成するためのコンクリートを、成形型枠１１内に流し込むとともに、そのコンクリートが凝結、硬化する前に、その上側に、前記ポーラスコンクリート部２と前記普通コンクリート部３とが一体化しないようさえぎる遮蔽部６と、その一体化を許容する連通部７とを有する、畳表４ａあるいはその他の仕切り部材４を配置し、その仕切り部材４の上側に、硬化したポーラスコンクリートを設置することにより複合化して、複合コンクリートブロック１を製造してもよい。
【００３９】
また、ポーラスコンクリート部２と普通コンクリート部３とを形成する各コンクリートを、成形型枠１１内に平打ち方式で打設するのでなく、縦打ち方式で打設してもよい。すなわち、成形型枠１１内に、前記ポーラスコンクリート部２と前記普通コンクリート部３とが一体化しないようさえぎる遮蔽部６と、その一体化を許容する連通部７とを有する、畳表４ａあるいはその他の仕切り部材４を、例えば、仕切り板等の介添えにより配置する。そして、その仕切り部材４を挟んで、その左右あるいは前後方向の一方側に、前記ポーラスコンクリート部２を形成するためのコンクリートを縦打ち方式で流し込み、また、その左右あるいは前後方向の他方側に、前記普通コンクリート部３を形成するためのコンクリートを縦打ち方式で流し込み、その後、前記仕切り板等の介添えを抜き取ることにより複合化させて、複合コンクリートブロック１を製造しても構わない。
【００４０】
さらに、成形型枠１１内に、ポーラスコンクリート部２と前記普通コンクリート部３とが一体化しないようさえぎる遮蔽部６と、その一体化を許容する連通部７とを有する、畳表４ａあるいはその他の仕切り部材４を挟んで、その一方側に、硬化したポーラスコンクリートを設置するとともに、その他方側に、前記普通コンクリート部３を形成するためのコンクリートを流し込むことにより複合化して、複合コンクリートブロック１を製造しても構わない。この場合、仕切り部材４は、例えば、硬化したポーラスコンクリートに取り付けられて、成形型枠１１内に配置される。そして、仕切り部材４の左右あるいは前後方向の他方側に、普通コンクリート部３を形成するためのコンクリートが、縦打ち方式で、成形型枠１１内に流し込む。
【００４１】
なお、この発明は、上述した実施の形態に限定されるわけではなく、その他種々の変更が可能である。例えば、複合コンクリートブロックは、ポーラスコンクリート部２と、普通コンクリート部３と、これらポーラスコンクリート部２と普通コンクリート部３との間に位置して両者を仕切る仕切り部材４とを備えていれば、複合コンクリートブロック自体の形状、構造については、特に限定されない。よって、複合コンクリートブロックは、図７および図８に示すように、縦長１ｍ、横長２ｍ、厚み１４ｃｍ程度の大きさのパネル部２０と、そのパネル部２０の裏面に取り付けられ、後方に突出する一対の控え部２１、２１とを備える、大型の積上げ可能な擁壁用のコンクリートブロックであってもよい。この第二の実施の形態の、複合コンクリートブロック２２としての擁壁用ブロックは、上下に積み上げる際に自立可能となるように、パネル部２０の上端面に一対の突起部２３、２３と、それら突起部２３、２３に対応位置するよう、パネル部２０の下端面に嵌合穴２４、２４とが設けられ、さらに、控え部２１、２１の上部が上方に突き出るように形成され、その突き出る部分２１ａをちょうど受けることができるように、控え部２１、２１の下部に切欠２１ｂが形成されている。
【００４２】
そして、この擁壁用ブロックのパネル部２０は、その前面部側がポーラスコンクリート部２によって形成され、このポーラスコンクリート部２は、パネル部２０の表面側から厚み方向のほぼ中央に至る程度の厚みを有し、擁壁用ブロックのパネル部２０の表層部側を形成する。また、この擁壁用ブロックのパネル部２０の裏面側は、普通コンクリート部３によって形成され、この普通コンクリート部３は、擁壁用ブロックのパネル部２０の基盤部側を形成するように、パネル部２０の裏面側から厚み方向のほぼ中央に至る程度の厚みを有するとともに、前記ポーラスコンクリート部２の側面を覆うようにしてパネル部２０の下部を除く周部を形成している。そして、このポーラスコンクリート部２の裏面と普通コンクリート部３との間には、ポーラスコンクリート部２の裏面ほぼ全体を覆うように、腐食して有機質肥料となり得る、仕切り部材４としての畳表４ａが位置するように埋設されている。この仕切り部材４としての畳表４ａは、第一の実施の形態と同様に、ポーラスコンクリート部２と普通コンクリート部３とが、一体化しないようにさえぎる遮蔽部となるシート体の本体と、その一体化を許容する、連通部となる複数の貫通孔とを有している。
【００４３】
ここで、仕切り部材４としての畳表４ａに、遮蔽部となるシート体の本体を設けるのは、ポーラスコンクリート部２側に、普通コンクリート部３を構成するモルタル分が進入するのを回避して、ポーラスコンクリートとしての機能を発揮するに足る、ポーラスコンクリート部２の所定のポーラス領域および空隙率、好ましくは１０〜３５パーセントの空隙率を維持するためである。また、仕切り部材４としての畳表４ａに連通部となる複数（単数でもよい）の貫通孔を設けるのは、ポーラスコンクリート部２と普通コンクリート部３とが一体的につながるようにして、各コンクリート部２、３がそれぞれに分離してしまうのを防止するためである。この複合コンクリートブロック２２の製造方法についても、用いられる成形型枠の形状、構造等を除けば、第一の実施の形態の複合コンクリートブロック１の製造方法に準じて行うことができる。すなわち、普通コンクリート部３を形成するコンクリートと、ポーラスコンクリート部２を形成するコンクリートを同時打ちしてもよく、あるいは、流し込みコンクリートとあらかじめ硬化させておいたポーラスコンクリートとで、普通コンクリート部３およびポーラスコンクリート部２をそれぞれ形成してもよい。また、コンクリートの打ち込み方式は、平打ち方式でも縦打ち方式でも構わないのも、第１の実施の形態の複合コンクリートブロック１の製造方法と同様である。
【００４４】
ところで、第一および第二の実施の形態における複合コンクリートブロック１、２２は、ポーラスコンクリート部２の側面を覆うように、普通コンクリート部３が枠状に設けられている。これは、ポーラスコンクリート部２の空隙部５、５に、土壌８その他の植生基盤材を充填して植生部９を形成する場合に、その植生部９から土壌８等が抜け落ちるのを普通コンクリート部３があることによって防止するためである。また、複合コンクリートブロック１、２２を積み上げたり並べたりする際に、各複合コンクリートブロック１、２２が互いに突き合う部分の、少なくとも一方を普通コンクリート部３として、強度的に弱いポーラスコンクリート部２が破損するのを回避するためでもある。もっとも、使用の目的によっては、このような枠状に形成される普通コンクリート部３はなくてもよく、例えば、普通コンクリート部３の表層部側（前面部側）に、ポーラスコンクリート部２が、仕切り部材４を間に挟んで、単に積層されているだけの複合コンクリートブロックであってもよい。また、複合コンクリートブロックは、ポーラスコンクリート部２としての機能が有効に発揮されるように、少なくとも一部のブロック部分の表層部側（前面部側）が、ポーラスコンクリート部２によって形成されていればよい。そして、そのポーラスコンクリート部２の裏面を覆うように、普通コンクリート部３との間を仕切る仕切り部材４が設けられていれば、残りの普通コンクリート部３の形状、構造については、使用目的に応じた任意の形状、構造でよい。
【００４５】
また、前記仕切り部材４は、有機質肥料としての利用を考慮しないならば、畳、畳床、または畳表のような肥料性部材に限定されず、その材質については特に限定されない。よって、仕切り部材４は、例えば、布、ポリスチレン等の合成樹脂、鋼等の金属、あるいは紙等からなるシート体、さらには間伐材とかベニヤ板等の木製板材であって、ポーラスコンクリート部２と普通コンクリート部３とが、一体化しないようにさえぎる遮蔽部６と、その一体化を許容する連通部７とを有するように形成されていればよい。また、仕切り部材４の連通部７は、円形状の貫通孔７ａ、７ａとして形成される必要はなく、三角形状、四角形状その他の多角形状等の任意形状の貫通孔でよい。また、貫通孔ではなく、スリット状あるいはメッシュ状に形成されていてもよく、したがって、仕切り部材４は、ネット状のものであってもよい。さらに、巻いたり折り重ねたりして棒状に形成した畳表を格子状に組むことにより、遮蔽部と連通部とを備えた仕切り部材４を形成してもよい。また、複合コンクリートブロックは、普通コンクリート部３とポーラスコンクリート部２との間に、非肥料性部材からなる仕切り部材４を設け、その仕切り部材４のポーラスコンクリート部２側の適宜個所に、畳、畳床、または畳表その他の肥料性部材を配置した構成であってもよい。こうすると、複合コンクリートブロックが植生される場合に、肥料性部材が経時的に腐食して植物の肥料になり、また、その腐食後に形成される空隙部が、ポーラスコンクリートとしての機能を発揮するのに良好な空隙率を確保することとなる。もちろん、かかる作用効果は、例えば、い草とかわらを丸めたり折ったりしたものをポーラスコンクリート部２の内部に混入させるだけでも構わない。
【００４６】
また、複合コンクリートブロック１、２２は、連通部７としての貫通孔７ａ、７ａを介して、普通コンクリート部３側の骨材の一部がポーラスコンクリート部２側に進入するようにして、普通コンクリート部３とポーラスコンクリート部２とが、凹凸状にかみ合うようにしてもよい。こうすると、普通コンクリート部３とポーラスコンクリート部２とは、より強固に一体化される。
【００４７】
また、この発明に係る複合コンクリートブロックは、図９および図１０に示されるように、ポーラスコンクリート部２と、普通コンクリート部３と、これらポーラスコンクリート部２と普通コンクリート部３との間に位置して両者を仕切る、複数の仕切り部材４、４とを備える複合コンクリートブロック６０であってもよい。そして、これら仕切り部材４、４の全部または一部は、ブロック外縁部６１との間に、あるいは、他の仕切り部材４、４との間に、間隔を明けるように配置され、かつ、これら仕切り部材４、４によって、前記ポーラスコンクリート部２と前記普通コンクリート部３とが一体化しないようにさえぎる遮蔽部６が形成され、また、前記間隔が明けられた部位には、前記ポーラスコンクリート部２と前記普通コンクリート部３とが一体化する一体部６２が形成される。すなわち、この発明に係る第三の実施の形態の、複合コンクリートブロック６０としての、例えば、擁壁用のコンクリートブロックは、裏面側（後面部側）にて後方に突出形成される、一対の控え部６３、６３を備えた普通コンクリート部３と、その普通コンクリート部３の表層部側（前面部側）に積層されるポーラスコンクリート部２と、これらポーラスコンクリート部２と普通コンクリート部３との間に位置するように埋設されて両者を仕切る、複数の仕切り部材４、４とからなり、これら複数の仕切り部材４、４は、ブロック外縁部６１との間に、あるいは、他の仕切り部材４、４との間に、一定の間隔を明けるようにして規則的に配置されている（図１０参照）。前記仕切り部材４、４としては、例えば、肥料性部材としての畳を用いるのが好ましく、例えば、使用済の畳を短冊状に裁断したものを用いる。
【００４８】
また、複数の仕切り部材４、４の一部４ｓ、４ｓは、例えば、図１１に示すように、ブロック外縁部６１としてのブロック下端縁部６１ａに通じることで、外側に露出していても構わない。そして、複数の仕切り部材４、４は、それぞれが独立して一定の間隔を明けるように配置されなくてもよく、複数の仕切り部材４、４の全部または一部が、集合し、重なり合い、もしくはつながり合って、ブロック外縁部６１との間に、あるいは、他の仕切り部材４、４との間に、間隔を明けるように配置されていてもよい。もちろん、仕切り部材４、４としての畳の形状は、矩形状に限定されるわけではなく、任意形状で構わない。
【００４９】
さらに、複数の仕切り部材４、４の全部または一部は、第一および第二の実施の形態における複合コンクリートブロック１、２２で使用した仕切り部材４と同様の形態であっても構わない。すなわち、複合コンクリートブロック６０は、ポーラスコンクリート部２と、普通コンクリート部３と、これらポーラスコンクリート部２と普通コンクリート部３との間に位置するように埋設されて両者を仕切る、複数の仕切り部材４、４とを備え、これら仕切り部材４、４の全部または一部は、ブロック外縁部６１との間に、あるいは、他の仕切り部材４、４との間に、間隔を明けるように配置され、その間隔が明けられた部位に、前記ポーラスコンクリート部２と前記普通コンクリート部３とが一体化する一体部６２が形成され、また、前記複数の仕切り部材４、４の全部または一部は、前記ポーラスコンクリート部２と前記普通コンクリート部３とが一体化しないようにさえぎる遮蔽部６と、その一体化を許容する連通部７とを有してなるものである。したがって、例えば、複数の仕切り部材４、４は、図１２に示すように、短冊状に裁断された畳が集合してなる畳集合体Ｋと、その畳集合体Ｋと間隔を明けて配置される、台形状、三角形状、および円形状等の任意形状に裁断された畳とからなり、前記短冊状に裁断された一部の畳と前記円形状に裁断された畳には、前記遮蔽部６と、前記連通部７となる貫通孔７ａとを有するような態様であってもよい。
【００５０】
また、仕切り部材４は、複数でなく、単数であってもよい。図１３に示す複合コンクリートブロック６０は、ポーラスコンクリート部２と、普通コンクリート部３と、これらポーラスコンクリート部２と普通コンクリート部３との間に位置するように埋設されて両者を仕切る、一つの仕切り部材４とを備える。そして、この仕切り部材４は、ブロック外縁部６１との間に間隔を明けるように配置され、その間隔が明けられた部位に、前記ポーラスコンクリート部２と前記普通コンクリート部３とが一体化する一体部６２を形成し、かつ、前記仕切り部材４によって、前記ポーラスコンクリート部２と前記普通コンクリート部３とが、一体化しないようにさえぎる遮蔽部６が形成される。また、この単数の仕切り部材４は、遮蔽部６と連通部７とを有するものであってもよく、さらに、仕切り部材４としての畳の形状は、任意形状で構わない。
【００５１】
このように、この発明に係る複合コンクリートブロック６０は、ポーラスコンクリート部２と普通コンクリート部３との間に埋設されて位置する、単数の仕切り部材４もしくは複数の仕切り部材４、４によって、ポーラスコンクリート部２と普通コンクリート部３とが一体化しないようにさえぎる遮蔽部６が形成され、また、複数の仕切り部材４、４の全部または一部が他の仕切り部材４（、４）との間に間隔を明けるように、あるいは、単数の仕切り部材４もしくは複数の仕切り部材４、４の全部または一部がブロック外縁部６１との間に間隔を明けるように、配設されることで、そのような間隔が明けられた部位に、ポーラスコンクリート部２と普通コンクリート部３とが一体化する一体部６２が形成されるよう構成される。したがって、仕切り部材４によって形成される遮蔽部６の存在により、ポーラスコンクリート部２側には、普通コンクリート部３を構成するモルタル分等が進入しなくなり、ポーラスコンクリート部２の所定のポーラス領域および空隙率が維持される。一方で、ポーラスコンクリート部２と普通コンクリート部３とは、前記間隔が明けられた部位に形成される一体部６２によってつながっているので、それぞれに分離してしまうのが防止される。
【００５２】
また、この発明に係る複合コンクリートブロック６０は、単数の仕切り部材４もしくは複数の仕切り部材４、４の全部または一部が、前記ポーラスコンクリート部２と前記普通コンクリート部３とが一体化しないようにさえぎる遮蔽部６と、その一体化を許容する連通部７とを有し、また、前記間隔が明けられた部位には、一体部６２が形成されるよう構成されてもよい。これにより、仕切り部材４が有する遮蔽部６の存在により、ポーラスコンクリート部２側に普通コンクリート部３を構成するモルタル分等が進入しないため、ポーラスコンクリート部２の所定のポーラス領域および空隙率を維持することができ、また、仕切り部材４が有する連通部７、および、前記間隔が明けられた部位に形成される一体部６２により、ポーラスコンクリート部２と普通コンクリート部３とはつながっているので、それぞれに分離してしまうのを防止することができる。なお、この場合において、前記一体部６２を構成要素から外すと、既述した第一および第二の実施の形態における複合コンクリートブロック１、２２と同様の形態になる。
【００５３】
ところで、この複合コンクリートブロック６０についても、前記仕切り部材４は、畳に限らず、例えば、肥料性部材としての畳表とか畳床であってもよい。これにより、複合コンクリートブロック６０が植生される場合に、肥料性部材が経時的に腐食して植物の肥料になり、また、その腐食後に形成される空隙部が、ポーラスコンクリートとしての機能を発揮するのに良好な空隙率を確保することとなる。また、仕切り部材４は、ダンボール紙、さらには、間伐材とかベニヤ板等の木製板材でもよく、これら畳、畳床、畳表、ダンボール紙、間伐材もしくは木製板材のうちの一種あるいは二種以上の組み合わせによりなる仕切り部材４であっても構わない。そして、既述したように、産業廃棄物の有効利用等の観点より、処分が苦慮されている使用済の畳、畳床、畳表、ダンボール紙もしくは間伐材を使用するのが好ましい。
【００５４】
次に、このような、ポーラスコンクリート部２と普通コンクリート部３とが一体化しないようにさえぎる遮蔽部６と、ポーラスコンクリート部２と普通コンクリート部３とが一体化する一体部６２とを有する複合コンクリートブロック６０の、製造方法を説明する。すなわち、この複合コンクリートブロック６０は、普通コンクリート部３を形成するためのコンクリートを、成形型枠内に流し込むとともに、そのコンクリートが凝結、硬化する前に、その上側に、単数の仕切り部材４もしくは複数の仕切り部材４、４を、形成すべきブロック外縁部６１との間に、あるいは、前記複数の仕切り部材４、４の全部または一部が他の仕切り部材４（、４）との間に、間隔を明けるように配置する。そして、前記仕切り部材４（、４）によって、前記ポーラスコンクリート部２と前記普通コンクリート部３とが一体化しないようにさえぎる遮蔽部６が形成され、また、前記間隔が明けられた部位に、ポーラスコンクリート部２と普通コンクリート部３とが一体化する一体部６２が形成されるように、前記仕切り部材４（、４）および前記間隔が明けられた部位の上側へと、ポーラスコンクリート部２を形成するためのコンクリートを、成形型枠内に流し込むことにより複合化させて、複合コンクリートブロックを製造する。
【００５５】
このように、この複合コンクリートブロックの製造方法によれば、ポーラスコンクリート部２と普通コンクリート部３とを同時打ちによって形成することができる。また、同時打ちする場合であっても、製造される複合コンクリートブロックは、仕切り部材４（、４）によって形成される遮蔽部６の存在により、ポーラスコンクリート部２の所定のポーラス領域および空隙率を維持することができ、また、前記間隔が明けられた部位に形成される一体部６２の存在により、ポーラスコンクリート部２と普通コンクリート部３とを一体化させて結合力を高めることができる。したがって、従来のように複数の成形型枠を用いて煩雑な作業工程を経ることがないので、作業負担が軽減されるとともに作業時間が短縮され、また、製造コストを安価にすることができる。
【００５６】
そして、複合コンクリートブロックの製造方法としては、前記製造方法以外にも、種々の方法が考えられる。例えば、最初に前記ポーラスコンクリート部２を形成するためのコンクリートを、成形型枠内に流し込んでもよい。そして、そのコンクリートが凝結、硬化する前に、その上側に、単数の仕切り部材４もしくは複数の仕切り部材４、４を、形成すべきブロック外縁部６１との間に、あるいは、前記複数の仕切り部材４、４の全部または一部が他の仕切り部材４（、４）との間に、間隙を明けるように配置し、かつ、前記仕切り部材４（、４）によって、前記ポーラスコンクリート部２と前記普通コンクリート部３とが一体化しないようにさえぎる遮蔽部６が形成され、また、前記間隔が明けられた部位に、ポーラスコンクリート部２と普通コンクリート部３とが一体化する一体部６２が形成されるように、前記仕切り部材４（、４）および前記間隔が明けられた部位の上側へと、普通コンクリート部３を形成するためのコンクリートを、成形型枠内に流し込むことにより複合化させて、複合コンクリートブロックを製造するようにしても構わない。
【００５７】
また、ポーラスコンクリート部２と普通コンクリート部３とを同時打ちによって形成するのではなく、あらかじめ硬化させておいたポーラスコンクリートを用いても構わない。すなわち、成形型枠内に、硬化したポーラスコンクリートを設置するとともに、そのコンクリートの上側に、単数の仕切り部材４もしくは複数の仕切り部材４、４を、形成すべきブロック外縁部６１との間に、あるいは、前記複数の仕切り部材４、４の全部または一部が他の仕切り部材４（、４）との間に、間隔を明けるように配置する。そして、前記仕切り部材４（、４）により、前記ポーラスコンクリート部２と前記普通コンクリート部３とが一体化しないようにさえぎる遮蔽部６が形成され、また、前記間隔が明けられた部位に、ポーラスコンクリート部２と普通コンクリート部３とが一体化する一体部６２が形成されるように、前記仕切り部材４（、４）および前記間隔が明けられた部位の上側へと、前記普通コンクリート部３を形成するためのコンクリートを、前記成形型枠内に流し込むことにより複合化して、複合コンクリートブロックを製造してもよい。あるいは、前記普通コンクリート部３を形成するためのコンクリートを、成形型枠内に流し込むとともに、そのコンクリートが凝結、硬化する前に、その上側に、単数の仕切り部材４もしくは複数の仕切り部材４、４を、形成すべきブロック外縁部６１との間に、あるいは、前記複数の仕切り部材４、４の全部または一部が他の仕切り部材４（、４）との間に、間隔を明けるように配置し、かつ、前記仕切り部材４（、４）によって、前記ポーラスコンクリート部２と前記普通コンクリート部３とが一体化しないようにさえぎる遮蔽部６が形成され、また、前記間隔が明けられた部位に、ポーラスコンクリート部２と普通コンクリート部３とが一体化する一体部６２が形成されるように、前記仕切り部材４（、４）および前記間隔が明けられた部位の上側に、硬化したポーラスコンクリートを設置することにより複合化して、複合コンクリートブロックを製造してもよい。
【００５８】
また、ポーラスコンクリート部２と普通コンクリート部３とを形成する各コンクリートを、成形型枠内に平打ち方式で打設するのではなく、縦打ち方式で打設してもよい。すなわち、あらかじめ、硬化したポーラスコンクリートの片面側に、単数の仕切り部材４もしくは複数の仕切り部材４、４を、形成すべきブロック外縁部６１との間に、あるいは、前記複数の仕切り部材４、４の全部または一部が他の仕切り部材４（、４）との間に、間隔を明けるように取り付けるとともに、前記仕切り部材４（、４）によって、前記ポーラスコンクリート部２と前記普通コンクリート部３とが一体化しないようにさえぎる遮蔽部６が形成され、また、前記間隔が明けられた部位には、前記ポーラスコンクリート部２と前記普通コンクリート部３とが一体化する一体部６２が形成されるよう、成形型枠内の一方側に、前記硬化したポーラスコンクリートを、前記仕切り部材４（、４）が取り付けられた前記片面側を、前記成形型枠内の他方側に向けて設置し、その他方側に、前記普通コンクリート部３を形成するためのコンクリートを流し込むことにより複合化して、複合コンクリートブロックを製造してもよい。この場合、前記単数の仕切り部材４もしくは複数の仕切り部材４、４は、あらかじめ硬化したポーラスコンクリートの片面側に取り付けられて、成形型枠内に配置されるので、縦打ち方式によって打設されても、前記仕切り部材４（、４）を保持するための保持具等は不要である。
【００５９】
なお、この発明に係る複合コンクリートブロック１、２２、６０において、前記仕切り部材４は、複数段に重ね合わされるようにして、前記ブロック内に埋設されても構わないことは、勿論である。また、複合コンクリートブロック６０についても、図示実施の形態に示す複合コンクリートブロック１、２２のように、ポーラスコンクリート部２の周側部を枠状に覆う、普通コンクリート部を設けるようにしてもよい。
【００６０】
【発明の効果】
以上、詳述したところから明らかなように、この発明に係る複合コンクリートブロックによれば、次の効果がある。
【００６１】
請求項１ないし４に記載された複合コンクリートブロックによれば、ポーラスコンクリート部の所定のポーラス領域および空隙率が確保され、しかも、ポーラスコンクリート部と普通コンクリート部とが一体化される。
【００６２】
請求項５に記載された複合コンクリートブロックによれば、加えて、植生された場合に、植物の生育に良好な環境が提供される。
【００６３】
請求項６に記載された複合コンクリートブロックによれば、加えて、植物の生育にとって一層良好であるとともに、廃棄処分となるような、畳、畳床、または畳表の有効利用して、資源の再利用および製造コストの削減を図ることもできる。
【００６４】
請求項７に記載された複合コンクリートブロックによれば、加えて、植生されることで自然との共生を図ることができる。
【００６５】
請求項８ないし１６に記載された複合コンクリートブロックの製造方法によれば、ポーラスコンクリート部の所定のポーラス領域および空隙率の確保が容易で、しかも、ポーラスコンクリート部と普通コンクリート部とが一体化される複合コンクリートブロックを製造することができる。特に請求項８、１１、１３に記載された複合コンクリートブロックの製造方法によれば、ポーラスコンクリート部と普通コンクリート部とを同時打ちして形成することができるので、加えて生産性が向上する。
【００６６】
請求項１７に記載された複合コンクリートブロックの製造方法によれば、加えて、使用済の畳、畳床、畳表とかダンボール紙、あるいは間伐材を使用する場合には、資源の再利用および製品コストの削減を図ることができる。
【図面の簡単な説明】
【図１】この発明に係る複合コンクリートブロックの第一の実施の形態を示す、ポーラスコンクリート部の一部を破断した斜視図である。
【図２】図１におけるＡ−Ａ線断面図である。
【図３】同じく、仕切り部材としての畳表の平面図である。
【図４】同じく、植生部が形成されて、植物の根が空隙部を通って生育する状態を示す図２相当図である。
【図５】同じく、仕切り部材の上面に区分け具を設置し、その区分け具の枠内にポーラスコンクリート部を形成するためのコンクリートが流し込まれた状態を示す縦断面図である。
【図６】同じく、打設後、区分け具を引き抜く状態を示す縦断面図である。
【図７】この発明に係る複合コンクリートブロックの第二の実施の形態の正面図である。
【図８】同じく、側面図である。
【図９】この発明に係る複合コンクリートブロックの第三の実施の形態を示す図２相当図である。
【図１０】図９におけるＢ−Ｂ線断面図である。
【図１１】この発明に係る複合コンクリートブロックの他の実施の形態を示す図１０相当図である。
【図１２】この発明に係る複合コンクリートブロックの、さらなる他の実施の形態を示す図１０相当図である。
【図１３】この発明に係る複合コンクリートブロックの、さらなる他の実施の形態を示す図１０相当図である。
【図１４】従来の複合コンクリートブロックの従断面図である。
【符号の説明】
１、２２、６０  複合コンクリートブロック
２  ポーラスコンクリート部              ３  普通コンクリート部
４  仕切り部材                          ４ａ  畳表
５  空隙部                              ６  遮蔽部
６ａ  シート体の本体                    ７  連通部
７ａ  貫通孔                            ８  土壌
９  植生部                              １１  成形型枠
１２  普通コンクリート部を形成するためのコンクリート
１７  ポーラスコンクリート部を形成するためのコンクリート
６１  ブロック外縁部                    ６２  一体部
【図１】
0003558592.tif 000002
【図２】
0003558592.tif 000003
【図３】
0003558592.tif 000004
【図４】
0003558592.tif 000005
【図５】
0003558592.tif 000006
【図６】
0003558592.tif 000007
【図７】
0003558592.tif 000008
【図８】
0003558592.tif 000009
【図９】
0003558592.tif 000010
【図１０】
0003558592.tif 000011
【図１１】
0003558592.tif 000012
【図１２】
0003558592.tif 000013
【図１３】
0003558592.tif 000014
【図１４】
0003558592.tif 000015